(57)【要約】【課題】文字や画像の情報を表示する主表示部と、この主表示部の周囲に設けられる装飾表示部とを備える表示装置において、高い注意喚起力を実現できる表示装置を得る。【解決手段】多数の表示用ＬＥＤ素子２によって情報を発光表示する主表示部３と、この主表示部３を囲うように配設され、主表示部３の表示用ＬＥＤ素子２の発光光度と極端に異なる発光光度を持つ飾り用ＬＥＤ素子４を複数有する装飾表示部５とを備える。これにより、主表示部３と装飾表示部５の発光光度に大きな違いを持たせることができ、看板用として従来では得られない高い注意喚起力を実現できる。【選択図】図１
2009025457.tif 000002
【特許請求の範囲】
【請求項１】
表示用の発光源と、
前記表示用の発光源の光度と極端に異なる光度を持つ点光源と、
を備える表示装置。
【請求項２】
複数の発光源によって情報を発光表示する主表示部と、
前記主表示部の周囲に設けられ、前記主表示部の発光源の光度と極端に異なる光度を持つ点光源を複数有する装飾表示部と、
を備える表示装置。
【請求項３】
前記発光源の光度は、１カンデラ〜５カンデラであり、前記点光源の光度は、１０カンデラ〜１００カンデラである請求項１又は請求項２に記載の表示装置。
【請求項４】
前記点光源の光度は、前記発光源の光度の１０〜２０倍である請求項１又は請求項２に記載の表示装置。
【請求項５】
前記点光源を常時点灯駆動又は点滅駆動する点灯制御部を備える請求項１乃至請求項４のいずれかに記載の表示装置。
【請求項６】
前記点光源は、高輝度発光ダイオードである請求項１乃至請求項５のいずれかに記載の表示装置。
【発明の詳細な説明】
【技術分野】
【０００１】
本発明は、電球やＬＥＤ(Light Emitting Diode:発光ダイオード)発光素子等の発光体を使用して情報を発光表示する表示装置に関し、特に情報を発光表示する主表示部の他に飾り用の装飾表示部を備える表示装置に関する。
【背景技術】
【０００２】
従来から、電球やＬＥＤ発光素子を使用した表示装置の看板が知られている。この種の表示装置は、いかに人目を引き付けるかが重要であり、そのため、これまでに様々な提案がなされている。例えば、特許文献１で開示されている表示装置では、複数の発光素子によって情報を発光表示する主表示部の周囲に装飾表示部を設け、該装飾表示部に閃光発光ランプを配設して所定のリズムに合わせた発光タイミングで点滅させるようにしている。また、同表示装置では、装飾表示部に閃光発光ランプと発光ダイオードとを配置し、両者の動きを同期させて装飾表示を行うようにしており、さらに装飾表示部に発光ダイオードを複数配設して段階的な輝度変化を伴う多階調で発光させるようにしている。
【０００３】
【特許文献１】特開２００５−２１５０９５号公報
【発明の開示】
【発明が解決しようとする課題】
【０００４】
ところで、上述した従来の表示装置においては、装飾表示部に閃光ランプを配設して人目を引き付けるようにしているが、主表示部の発光光度と閃光ランプの発光光度とのバランスが考慮されておらず、主表示部の表示が見づらくなる場合があった。
【０００５】
本発明は係る事情に鑑みてなされたものであり、電球やＬＥＤ発光素子等の発光体を使用して文字や画像を表示する看板用途の表示装置において、高い注意喚起力を実現できる表示装置を提供することを目的とする。
【課題を解決するための手段】
【０００６】
本発明の表示装置は、表示用の発光源と、前記表示用の発光源の光度と極端に異なる光度を持つ点光源と、を備える。
【０００７】
上記構成によれば、表示用の発光源の光度を遥かに超える光度の点光源を備えるので、主表示部と装飾表示部の発光光度に大きな違いを持たせることができ、看板用として高い注意喚起力を実現できる。
【０００８】
また、本発明の表示装置は、複数の発光源によって情報を発光表示する主表示部と、前記主表示部の周囲に設けられ、前記主表示部の発光源の光度と極端に異なる光度を持つ点光源を複数有する装飾表示部と、を備える。
【０００９】
上記構成によれば、表示用の発光源の光度を遥かに超える光度の点光源を備えるので、主表示部と装飾表示部の発光光度に大きな違いを持たせることができ、看板用として高い注意喚起力を実現できる。
【００１０】
上記構成において、前記発光源の光度は、１カンデラ〜５カンデラであり、前記点光源の光度は、１０カンデラ〜１００カンデラである。
【００１１】
上記構成によれば、必要十分な発光で点光源を発光させることができるため、十分に離れた位置からも容易に目を引くことができ、かつ、近接した位置からは点光源の発光に妨げられることなく発光源による発光を認識できる。
【００１２】
また、上記構成において、前記点光源の光度は、前記発光源の光度の１０〜２０倍である。
【００１３】
上記構成によれば、必要十分な発光光度で点光源を発光させることができるため、十分に離れた位置からも容易に目を引くことができ、かつ、近接した位置からは点光源の発光に妨げられることなく発光源による発光を認識できる。
【００１４】
また、上記構成において、前記点光源を常時点灯駆動又は点滅駆動する点灯制御部を備える。
【００１５】
上記構成によれば、看板用として高い注意喚起力を実現できる。
【００１６】
また、上記構成において、前記装飾表示部の点光源は、高輝度発光ダイオードである。
【００１７】
上記構成によれば、装飾用の点光源として高輝度発光ダイオードを用いることで、主に発光ダイオードが用いられる表示用の発光源と比べて遥かに高い発光光度を得ることができ、しかも安価に実現することができる。
【発明の効果】
【００１８】
本発明に係る表示装置によれば、高い注意喚起力を実現できる。
【発明を実施するための最良の形態】
【００１９】
以下、本発明を実施するための好適な実施の形態について、図面を参照して詳細に説明する。
【００２０】
図１は、本発明の一実施の形態に係る表示装置を示す正面図である。同図において、本実施の形態の表示装置１は、中央部に多数のＬＥＤ発光素子からなる表示用ＬＥＤ素子（表示用の発光源）２を碁盤目状に配置した主表示部３と、この主表示部３を囲うようにして、発光体としての複数の飾り用ＬＥＤ素子（点光源）４を四隅に配置した装飾表示部５と、主表示部３と装飾表示部５を点灯制御する点灯制御部６とを備える。なお、表示装置１は、図示せぬスタンドに取り付けられ、人目につき易い場所に設置される。また、主表示部３及び装飾表示部５の表面は透明なパネル７で覆われている。
【００２１】
装飾表示部５の四隅に配設された飾り用ＬＥＤ素子４には、高輝度ＬＥＤまたは高輝度ＬＥＤの光度を更に増幅するために集光レンズが用いられ、表示用の発光源として用いられる一般的な表示用ＬＥＤ素子２と比べて１０〜２０倍の発光光度が得られる。飾り用ＬＥＤ素子４に高輝度ＬＥＤ等を用いることで、装飾表示部５と表示部３の発光光度に大きな違いを持たせることができ、看板用として高い注意喚起力を実現できる。例えば表示用ＬＥＤ素子２の発光光度は、１カンデラ〜５カンデラが望ましく、飾り用ＬＥＤ素子４の発光光度は、１０カンデラ〜１００カンデラが望ましい。これにより、必要十分な発光光度で飾り用ＬＥＤ素子４を発光させることができるため、十分に離れた位置からも容易に目を引くことができ、かつ、近接した位置からは飾り用ＬＥＤ素子４の発光に妨げられることなく表示用ＬＥＤ素子２による発光を認識できる。
【００２２】
装飾表示部５の飾り用ＬＥＤ素子４間に直線状に配設した他の飾り用ＬＥＤ素子には、表示用ＬＥＤ素子２と同程度の発光光度を有するＬＥＤを用いる。これらのＬＥＤを覆う透明樹脂材のカバーが、装飾表示部５に設けられている。直線状に配設した飾り用ＬＥＤ素子として、単色のＬＥＤだけでなく、複数色（例えばＲ(Read)、Ｇ(Green)、Ｂ(Blue)）のＬＥＤを用いることにより、表現力を向上させることができ、より高い注意喚起力を実現できる。
【００２３】
図２は、点灯制御部６の概略構成を示すブロック図である。同図において、点灯制御部６は、主表示部３を構成する多数の表示用ＬＥＤ素子２を駆動するドライバ６１と、装飾表示部５を構成する複数の飾り用ＬＥＤ素子４を駆動するドライバ６２と、表示装置１の周囲の明るさを検知するためのフォトトランジスタやＣｄＳ（硫化カドミウムセル）等の光センサ６３と、表示用のデータを記憶したフラッシュメモリ６４と、装置各部を制御するＣＰＵ（Central Processing Unit）６５と、ＣＰＵ６５を制御するためのプログラムを記憶したＲＯＭ（Read Only Memory）６６と、ＣＰＵ６５の動作において使用されるワークメモリとしてのＲＡＭ（Random Access Memory）６７とを備える。
【００２４】
ＣＰＵ６５は、フラッシュメモリ６４に記憶されている主表示用の表示データを読み込んでＲＡＭ６７にドット展開し、そのドット展開したデータに基づいてドライバ６１を駆動して主表示部３の多数の表示用ＬＥＤ素子２を点灯制御し、文字や画像等の情報を表示する。また、ＣＰＵ６５は、フラッシュメモリ６４に記憶されている装飾表示用の表示データを読み込み、この表示データに基づいてドライバ６２を駆動して装飾表示部５の複数の飾り用ＬＥＤ素子４を点灯制御し、常時点灯駆動又は点滅駆動する。
【００２５】
また、ＣＰＵ６５は、光センサ６３から出力されるセンサ信号を読み取って表示装置１の周囲の明るさを検知し、その結果に基づいてドライバ６１、６２の駆動電流を制御する。例えば、晴天の昼間では発光光度を高めるためにドライバ６１、６２の駆動電流を増加させ、逆に曇天時や夜間では見る人を眩惑させないようにドライバ６１、６２の駆動電流を減少させる。すなわち、ドライバ６１、６２の駆動電流を表示装置１の周囲が明るくなるに従って増加させ、暗くなるに従って減少させる。周囲の明るさによって発光光度を変化させる場合であっても、装飾表示部５の飾り用ＬＥＤ素子４の発光光度が、主表示部３の表示用ＬＥＤ素子２の発光光度の１０倍〜２０倍となるよう制御することが望ましい。これにより、快晴の昼間でも人目を引き付け易くなり、また曇天時や夜間では見る人を眩惑させることがない。
【００２６】
このように、本実施の形態の表示装置１によれば、多数の表示用ＬＥＤ素子２によって情報を発光表示する主表示部３と、この主表示部３を囲うように配設され、主表示部３の表示用ＬＥＤ素子２の発光光度と極端に異なる発光光度を持つ飾り用ＬＥＤ素子４を複数有する装飾表示部５とを備えるので、主表示部３と装飾表示部５の発光光度に大きな違いを持たせることができ、看板用として従来では得られない高い注意喚起力を実現できる。
【産業上の利用可能性】
【００２７】
本発明は、高い注意喚起力を実現できる効果を有し、発光体を使用して情報を発光表示する表示装置等に有用である。
【図面の簡単な説明】
【００２８】
【図１】本発明の一実施の形態に係る表示装置を示す正面図
【図２】図１に示す表示装置の点灯制御部の概略構成を示すブロック図
【符号の説明】
【００２９】
１  表示装置
２  表示用ＬＥＤ素子
３  主表示部
４  飾り用ＬＥＤ素子
５  装飾表示部
６  点灯制御部
７  パネル
６１、６２  ドライバ
６３  光センサ
６４  フラッシュメモリ
６５  ＣＰＵ
６６  ＲＯＭ
６７  ＲＡＭ
【図１】
2009025457.tif 000003
【図２】
2009025457.tif 000004